【手続補正書】
【提出日】平成29年11月14日(2017.11.14)
【手続補正１】
【補正対象書類名】明細書
【補正対象項目名】００１０
【補正方法】変更
【補正の内容】
【００１０】
上記目的を達成するために第１発明に係る固液抽出装置は、原料に溶媒を供給することにより、原料中の有用な成分を抽出液として抽出する固液抽出装置であって、抽出液をろ過するフィルタ部を下部に備え、原料及び溶媒を貯留するタンクと、該タンク内に、前記フィルタ部を通過することが可能な大きさの微粉を含む原料を供給する原料供給部と、前記タンク内に上方から溶媒を供給する溶媒供給部と、抽出された抽出液を前記タンクの下方から排出する抽出液排出部とを有し、前記原料供給部により前記タンクの前記フィルタ部に層状に蓄積された原料が溶媒に浸漬する液面レベルまで溶媒を供給し、その後前記タンク内の溶媒の液面レベルが一定になるよう、連続的に溶媒の供給及び抽出液の排出を行うよう前記溶媒供給部及び前記抽出液排出部の動作を調整する液量調整部を備えることを特徴とする固液抽出装置。
【手続補正２】
【補正対象書類名】明細書
【補正対象項目名】００１１
【補正方法】変更
【補正の内容】
【００１１】
第１発明では、原料をタンクのフィルタ部に層状に蓄積し、蓄積された原料が溶媒に浸漬する液面レベルまで溶媒を供給し、その後タンク内の溶媒の液面レベルが一定になるよう、連続的に溶媒の供給及び抽出液の排出を調整することにより、排出される液量を比較的小さく抑制することができ、液量が一定になるよう調整することが容易となり、液詰まりが生じる可能性を低減することが可能となる。
また、第２発明に係る固液抽出装置は、第１発明において、前記液量調整部は、前記タンク内の溶媒の液面レベルが一定になるよう、前記溶媒供給部による溶媒の供給と前記抽出液排出部による抽出液の排出が同一量となるよう前記溶媒供給部及び前記抽出液排出部の動作を調整することが好ましい。
第２発明では、タンク内の溶媒の液面レベルが一定になるよう、溶媒供給部による溶媒の供給と抽出液排出部による抽出液の排出が同一量となるよう溶媒供給部及び抽出液排出部の動作を調整するので、液量が一定になるよう調整することが容易となり、液詰まりが生じる可能性を低減することが可能となる。
【手続補正３】
【補正対象書類名】明細書
【補正対象項目名】００１２
【補正方法】変更
【補正の内容】
【００１２】
また、第３発明に係る固液抽出装置は、第１又は第２発明において、前記液量調整部は、供給された原料が前記フィルタ部に層状に蓄積された後、前記タンクの前記抽出液排出部側から逆流させて溶媒を供給させることが好ましい。
【手続補正４】
【補正対象書類名】明細書
【補正対象項目名】００１３
【補正方法】変更
【補正の内容】
【００１３】
第３発明では、供給された原料をフィルタ部に層状に蓄積した後、タンクの抽出液排出部側から逆流させて溶媒を供給するので、抽出液排出部の配管内及び層状に蓄積された原料内の空気を排除することができ、効率良く抽出液を得ることが可能となる。
【手続補正５】
【補正対象書類名】明細書
【補正対象項目名】００１４
【補正方法】変更
【補正の内容】
【００１４】
また、第４発明に係る固液抽出装置は、第３発明において、前記液量調整部は、前記抽出液排出部側から逆流させて溶媒を供給する場合、前記溶媒供給部からも溶媒を供給させることが好ましい。
【手続補正６】
【補正対象書類名】明細書
【補正対象項目名】００１５
【補正方法】変更
【補正の内容】
【００１５】
第４発明では、抽出液排出部側から逆流させて溶媒を供給する場合、タンクの上方に設けてある溶媒供給部からも溶媒を供給するので、タンクの抽出液排出部側から逆流させて供給された溶媒の液面に浮遊している微粉原料を確実に溶媒に浸漬させることが可能となる。
【手続補正７】
【補正対象書類名】明細書
【補正対象項目名】００１６
【補正方法】変更
【補正の内容】
【００１６】
また、第５発明に係る固液抽出装置は、第１又は第２発明において、前記液量調整部は、前記原料供給部から原料が供給される前に溶媒を供給させることが好ましい。
【手続補正８】
【補正対象書類名】明細書
【補正対象項目名】００１７
【補正方法】変更
【補正の内容】
【００１７】
第５発明では、原料が供給される前に溶媒を供給させるので、抽出液排出部の配管内の空気を排除してから原料を層状に蓄積することができ、効率良く抽出液を得ることが可能となる。
【手続補正９】
【補正対象書類名】明細書
【補正対象項目名】００１８
【補正方法】変更
【補正の内容】
【００１８】
また、第６発明に係る固液抽出装置は、第５発明において、前記液量調整部は、原料が供給された後に前記溶媒供給部から溶媒をさらに供給させることが好ましい。
【手続補正１０】
【補正対象書類名】明細書
【補正対象項目名】００１９
【補正方法】変更
【補正の内容】
【００１９】
第６発明では、原料が供給された後に、タンクの上方に設けてある溶媒供給部から溶媒をさらに供給させるので、供給された溶媒の液面に浮遊している微粉原料を確実に溶媒に浸漬させることが可能となる。
また、第７発明に係る固液抽出装置は、第１乃至第６発明のいずれか１つにおいて、前記液量調整部は、層状に蓄積された原料を溶媒が通過する平均流速が、前記タンクの高さ方向で８．５ｍｍ／分以下となるよう調整することが好ましい。
第７発明では、層状に蓄積された原料を溶媒が通過する平均流速が、タンクの高さ方向で８．５ｍｍ／分以下となるよう調整することにより、排出される液量を比較的小さく抑制することができ、液量が一定になるよう調整することが容易となり、液詰まりが生じる可能性を低減することが可能となる。
【手続補正１１】
【補正対象書類名】明細書
【補正対象項目名】００２０
【補正方法】変更
【補正の内容】
【００２０】
次に、上記目的を達成するために第８発明に係る固液抽出方法は、抽出液をろ過するフィルタ部を下部に備え、原料及び溶媒を貯留するタンクと、該タンク内に、前記フィルタ部を通過することが可能な大きさの微粉を含む原料を供給する原料供給部と、前記タンク内に上方から溶媒を供給する溶媒供給部と、抽出された抽出液を前記タンクの下方から排出する抽出液排出部とを有し、原料に溶媒を供給することにより、原料中の有用な成分を抽出液として抽出する固液抽出装置で実行することが可能な固液抽出方法であって、前記固液抽出装置は、前記原料供給部により原料を前記タンクの前記フィルタ部に層状に蓄積する第１工程と、蓄積された原料が溶媒に浸漬する液面レベルまで溶媒を供給する第２工程と、前記タンク内の溶媒の液面レベルが一定になるよう、連続的に溶媒の供給及び抽出液の排出を調整する第３工程とを含むことを特徴とする。
【手続補正１２】
【補正対象書類名】明細書
【補正対象項目名】００２１
【補正方法】変更
【補正の内容】
【００２１】
第８発明では、原料をタンクのフィルタ部に層状に蓄積し、蓄積された原料が溶媒に浸漬する液面レベルまで溶媒を供給し、その後タンク内の溶媒の液面レベルが一定になるよう、連続的に溶媒の供給及び抽出液の排出を調整することにより、排出される液量を比較的小さく抑制することができ、液量が一定になるよう調整することが容易となり、液詰まりが生じる可能性を低減することが可能となる。
【手続補正１３】
【補正対象書類名】明細書
【補正対象項目名】００２２
【補正方法】変更
【補正の内容】
【００２２】
また、第９発明に係る固液抽出方法は、第８発明において、前記第２工程にて、前記固液抽出装置は、前記タンクの前記抽出液排出部側から逆流させて溶媒を供給することが好ましい。
【手続補正１４】
【補正対象書類名】明細書
【補正対象項目名】００２３
【補正方法】変更
【補正の内容】
【００２３】
第９発明では、タンクの抽出液排出部側から逆流させて溶媒を供給するので、抽出液排出部の配管内及び層状に蓄積された原料内の空気を排除することができ、効率良く抽出液を得ることが可能となる。
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】変更
【補正の内容】
【００２８】
また、第１０発明に係る固液抽出方法は、第８又は第９発明において、前記第３工程にて、前記液量調整部は、層状に蓄積された原料を溶媒が通過する平均流速が、前記タンクの高さ方向で８．５ｍｍ／分以下となるよう調整することが好ましい。
【手続補正２０】
【補正対象書類名】明細書
【補正対象項目名】００２９
【補正方法】変更
【補正の内容】
【００２９】
第１０発明では、層状に蓄積された原料を溶媒が通過する平均流速が、タンクの高さ方向で８．５ｍｍ／分以下となるよう調整することにより、排出される液量を比較的小さく抑制することができ、液量が一定になるよう調整することが容易となり、液詰まりが生じる可能性を低減することが可能となる。
【手続補正２１】
【補正対象書類名】特許請求の範囲
【補正対象項目名】全文
【補正方法】変更
【補正の内容】
【特許請求の範囲】
【請求項１】
原料に溶媒を供給することにより、原料中の有用な成分を抽出液として抽出する固液抽出装置であって、
抽出液をろ過するフィルタ部を下部に備え、原料及び溶媒を貯留するタンクと、
該タンク内に、前記フィルタ部を通過することが可能な大きさの微粉を含む原料を供給する原料供給部と、
前記タンク内に上方から溶媒を供給する溶媒供給部と、
抽出された抽出液を前記タンクの下方から排出する抽出液排出部と
を有し、
前記原料供給部により前記タンクの前記フィルタ部に層状に蓄積された原料が溶媒に浸漬する液面レベルまで溶媒を供給し、その後前記タンク内の溶媒の液面レベルが一定になるよう、連続的に溶媒の供給及び抽出液の排出を行うよう前記溶媒供給部及び前記抽出液排出部の動作を調整する液量調整部
を備えることを特徴とする固液抽出装置。
【請求項２】
前記液量調整部は、前記タンク内の溶媒の液面レベルが一定になるよう、前記溶媒供給部による溶媒の供給と前記抽出液排出部による抽出液の排出が同一量となるよう前記溶媒供給部及び前記抽出液排出部の動作を調整することを特徴とする請求項１に記載の固液抽出装置。
【請求項３】
前記液量調整部は、供給された原料が前記フィルタ部に層状に蓄積された後、前記タンクの前記抽出液排出部側から逆流させて溶媒を供給させることを特徴とする請求項１又は２に記載の固液抽出装置。
【請求項４】
前記液量調整部は、前記抽出液排出部側から逆流させて溶媒を供給する場合、前記溶媒供給部からも溶媒を供給させることを特徴とする請求項３に記載の固液抽出装置。
【請求項５】
前記液量調整部は、前記原料供給部から原料が供給される前に溶媒を供給させることを特徴とする請求項１又は２に記載の固液抽出装置。
【請求項６】
前記液量調整部は、原料が供給された後に前記溶媒供給部から溶媒をさらに供給させることを特徴とする請求項５に記載の固液抽出装置。
【請求項７】
前記液量調整部は、層状に蓄積された原料を溶媒が通過する平均流速が、前記タンクの高さ方向で８．５ｍｍ／分以下となるよう調整することを特徴とする請求項１乃至６のいずれか一項に記載の固液抽出装置。
【請求項８】
抽出液をろ過するフィルタ部を下部に備え、原料及び溶媒を貯留するタンクと、
該タンク内に、前記フィルタ部を通過することが可能な大きさの微粉を含む原料を供給する原料供給部と、
前記タンク内に上方から溶媒を供給する溶媒供給部と、
抽出された抽出液を前記タンクの下方から排出する抽出液排出部と
を有し、原料に溶媒を供給することにより、原料中の有用な成分を抽出液として抽出する固液抽出装置で実行することが可能な固液抽出方法であって、
前記固液抽出装置は、
前記原料供給部により原料を前記タンクの前記フィルタ部に層状に蓄積する第１工程と、
蓄積された原料が溶媒に浸漬する液面レベルまで溶媒を供給する第２工程と、
前記タンク内の溶媒の液面レベルが一定になるよう、連続的に溶媒の供給及び抽出液の排出を調整する第３工程と
を含むことを特徴とする固液抽出方法。
【請求項９】
前記第２工程にて、前記固液抽出装置は、前記タンクの前記抽出液排出部側から逆流させて溶媒を供給することを特徴とする請求項８に記載の固液抽出方法。
【請求項１０】
前記第３工程にて、前記液量調整部は、層状に蓄積された原料を溶媒が通過する平均流速が、前記タンクの高さ方向で８．５ｍｍ／分以下となるよう調整することを特徴とする請求項８又は９に記載の固液抽出方法。